(57)【要約】【課題】商品管理を容易に、かつ長期化させることができるオープンショーケース用表示シートを提供することを目的とする。【解決手段】その上に商品が載置され、該商品載置面に載置されるべき商品の外観が表示された矩形状の識別表示部を有することを特徴とする。【選択図】図１
0003111781.tif 000002
【実用新案登録請求の範囲】
【請求項１】
その上に商品が載置され、該商品載置面に載置されるべき商品の外観が表示された矩形状の識別表示部を有することを特徴とするオープンショーケース用表示シート。
【請求項２】
前記識別表示部の対向する辺の少なくとも一方に、該辺に沿って折り曲げ可能に形成された連結部をさらに有することを特徴とする請求項１記載の表示シート。
【請求項３】
前記連結部が設けられた辺に隣接する辺の少なくとも一方に、該隣接辺に沿って折り曲げ可能に形成された固定部をさらに有することを特徴とする請求項１または２記載の表示シート。
【請求項４】
さらに、前記連結部が設けられた辺に沿って形成されたスリットを有し、複数枚を商品陳列用棚板の上に敷き並べたときに、隣り合う一方側の連結部が他方側のスリットに挿し込まれることを特徴とする請求項１ないし３のいずれか１項記載の表示シート。
【請求項５】
請求項１ないし４のいずれか１項記載のオープンショーケース用表示シートが、商品陳列用棚板の上に敷き並べられたことを特徴とするオープンショーケース。
【考案の詳細な説明】
【技術分野】
【０００１】
本発明は、オープンショーケース用表示シートおよびオープンショーケースに関する。
【背景技術】
【０００２】
ペットボトル飲料や缶飲料を陳列して販売するために、コンビニエンスストアやスーパーマーケットでは種々の商品陳列棚が使用されている。例えば、特許文献１には、店内の棚から陳列商品を前方へ取り出すことができる商品陳列ユニットが開示されている。
【０００３】
商品棚に陳列された商品は、定期的に補充して管理する必要がある。商品管理のために、従来、図７に示すような棚割り表が使用されている。この棚割り表７１には、商品配置を示した商品棚外観図７２と、配置するべき商品の種類と数を示した配置表７３とが記載されている。この棚割り表７１は、商品陳列棚の内側あるいは外側の側面部に貼り付けられ、これに従って商品管理がなされている。
【０００４】
しかしながら、このような管理方法では、棚割り表７１と商品とを度々見比べながら商品を陳列しなければならず、商品管理が担当者の大きな負担となっていた。また、商品陳列棚、特に、オープンショーケースに棚割り表７１を貼り付けても、商品を繰り返し補充するうちに、棚割り表７１とは異なる商品が補充されたり、棚割り表７１とは異なる配置で商品が陳列されたりして、棚割り表７１の配布から比較的短期間で商品の配置が希望通りでなくなるという問題もあった。
【特許文献１】特開平１１−１５５７０１号公報
【考案の開示】
【考案が解決しようとする課題】
【０００５】
本考案は、商品管理を容易に、かつ長期化させることができるオープンショーケース用表示シートおよびオープンショーケースを提供することを目的とする。
【課題を解決するための手段】
【０００６】
本考案に係るオープンショーケース用表示シートは、その上に商品が載置され、該商品載置面に載置されるべき商品の外観が表示された矩形状の識別表示部を有することを特徴とする。
【０００７】
本考案に係るオープンショーケースは、前記オープンショーケース用表示シートが、商品陳列用棚板の上に敷き並べられたことを特徴とする。
【考案の効果】
【０００８】
本考案によれば、商品管理を容易に、かつ長期化させることができるオープンショーケース用表示シートおよびオープンショーケースを提供することができる。
【考案を実施するための最良の形態】
【０００９】
以下、本考案の種々の実施形態について図面を参照して説明する。
【００１０】
まず、オープンショーケース用表示シートについて説明する。
【００１１】
図１に示す２連型の表示シート１は、矩形状の識別表示部２を有する。この識別表示部２は、長方形状の２つの表示エリア２ａ，２ｂを有する。この表示エリア２ａ，２ｂの境界線２ｌ上には、破線状に微小な切れ目が形成されており、第１の表示エリア２ａと第２の表示エリア２ｂとが分断可能になっている。第１の表示エリア２ａには商品外観３ａが表示され、第２の表示エリア２ｂには商品外観３ｂが表示されている。図１では、商品外観としてペットボトルを例示している。ここで、「商品外観」とは、商品種類が一見して分かるように描かれた図形あるいは印刷された写真である。
【００１２】
表示エリア２ａの短辺の一方（図１では下側に位置する辺）には、表示エリア２ａと同一平面上に一様な幅の固定部４ａが一体形成されている。また、表示エリア２ｂの短辺の一方（固定部４ａと同じ側の辺）には、表示エリア２ｂと同一平面上に一様な幅の固定部４ｂが一体形成されている。隣り合う固定部４ａ，４ｂは、一体形成されている。表示エリア２ａと固定部４ａとの境界である折り曲げ部１１、および、表示エリア２ｂと固定部４ｂとの境界である折り曲げ部１２には、それぞれ折り目加工が施されており、折り曲げ可能になっている。固定部４ａ，４ｂの境界線４ｌ上には、破線状に微小な切れ目が形成されており、第１の固定部４ａと第２の固定部４ｂとを分断可能にしている。商品外観３ａ，３ｂは、典型的には、商品の底側がこの固定部４ａ，４ｂの側を向くように、表示エリア２ａ，２ｂに表示されている。
【００１３】
表示エリア２ａの表示エリア２ｂとは反対側の長辺には、表示エリア２ａと同一平面上に、表示エリア２ａの長辺よりも短く一様な幅の第１の連結部５が一体形成されている。表示エリア２ａと第１の連結部５との境界である折り曲げ部１３には、折り目加工が施されており、折り曲げ可能になっている。また、表示エリア２ｂの表示エリア２ａとは反対側の長辺には、表示エリア２ｂの同一平面上に、表示エリア２ｂの長辺と同等の長さで一様な幅の第２の連結部６が一体形成されている。第２の連結部６と表示エリア２ｂとの境界である折り曲げ部１４には、折り目加工が施されており、折り曲げ可能になっていると共に、第１の連結部５を挿し込み可能なスリット７が形成されている。
【００１４】
次に、この表示シート１の使用方法を、図２，３を参照して説明する。
【００１５】
まず、折り曲げ部１３，１４をそれぞれ谷折りにして、連結部５，６をそれぞれ識別表示部２に対してほぼ直角に折り曲げる。一方、折り曲げ部１１，１２をそれぞれ山折りにして、固定部４ａ，４ｂを、識別表示部２に対して連結部５，６とは反対側にほぼ直角に折り曲げる。
【００１６】
この表示シート１を、図２に示すようにオープンショーケース２０の棚板２１の上に配置する。このとき、棚板２１の前面部（ショーケース２０のオープンしている側の側面部）に設けられた前板２２と棚板２１との隙間に固定部４ａ，４ｂを挿し込むことにより、表示シート１を位置決めすることができる。前板２２は、商品の落下防止の目的でオープンショーケース２０に備え付けられているものである。図２では、この前板２２の上部に金属製の落下防止バー２３が具備されているオープンショーケース２０を例示している。また、前板２２は、商品名とその価格が表記されたプライスカード２４を保持する機能をも有している。
【００１７】
このように配置した表示シート１の表示エリア２ａ，２ｂの上面にそれぞれ、図３に示すように商品（例えば、ペットボトル飲料）３０を順次並べて載置する。載置するべき商品の種類については、シート１に表示された商品外観３ａ，３ｂから容易に判断することができる。このため、表示シート１を用いることにより、商品管理が容易になるだけでなく、誤った商品が載置されるのを防ぐことができるため、商品管理を長期間に亘って徹底させることができる。さらに、商品が欠品した場合には、商品外観３ａ，３ｂが消費者の目に触れるようになるため、広告効果も得られ、販売促進にも繋がり得る。
【００１８】
配置した表示シート１において、連結部５，６は棚板２１に対してほぼ直立させておくことができる。この連結部５，６は、表示エリア２ａ（２ｂ）の上面に載置した商品と、表示エリア２ａ（２ｂ）に対して表示エリア２ｂ（２ａ）とは反対側の横に載置した商品との仕切り板としての役割を果たす。この仕切り板（連結部５，６）は商品の転倒防止に役立つだけでなく、この仕切り板をガイドにして、棚奥にある商品を取り出したり、棚奥に商品を補充することができ、商品を移動させ易くすることができる。連結部５，６の幅（短辺方向の長さ）は、仕切り板としての機能を十分に発揮させるために、例えば、１〜３ｃｍの範囲とする。
【００１９】
上述したように、固定部４ａ，４ｂを前板２２と棚板２１との間に挿入することにより、表示シート１を取り外し可能に位置決めすることができ、商品を移動させた際に表示シート１がずれるのを防ぐことができる。またこれにより、陳列棚の前方（ショーケース２０のオープンしている側）に表示シート１を配置させることができるため、商品外観３ａ，３ｂをより目に触れ易くすることができる。
【００２０】
前板２２と棚板２１との間に隙間がない場合には、折り曲げ部１１，１２を折り曲げることなく、固定部４ａ，４ｂを表示エリア２ａ，２ｂとフラットな状態にして使用してもよい。または、固定部４ａ，４ｂを折り曲げ部１１，１２に沿って切り取って使用することも可能である。あるいは、折り曲げ部１１，１２を谷折りにして前板２２に沿わせるようにして配置することもできる。これらの場合には、表示エリア２ａ，２ｂの裏面と、棚板２１の上面部とを接着剤等で貼り合わせて位置決めしてもよい。
【００２１】
載置する商品３０の種類、すなわち表示エリア２ａ，２ｂに表示される商品外観３ａ，３ｂの種類としては、例えば、種々のサイズのペットボトル、缶等を挙げることができる。商品外観３ａ，３ｂのサイズは、商品３０の実物大とすることもできるし、縮小あるいは拡大サイズとすることもできる。商品外観３ａ，３ｂは同じ種類でもよいし、それぞれ異なる種類でもよい。また、表示エリア２ａ，２ｂの長辺や短辺の長さは、商品３０（商品外観３ａ，３ｂ）の種類によって種々に変更することができる。載置する商品３０の種類によっては、表示エリア２ａ，２ｂの短辺の長さがそれぞれ異なっていてもよい。
【００２２】
表示シート１は、表示シート１の上面において商品３０を摺動させ易い材質とすることが好ましい。また、折り曲げ部１１〜１４をほぼ直角に維持することができる程度の塑性変形能を有する材質であることがさらに好ましい。このような材質として、例えば、熱可塑性樹脂、プラスチック等を挙げることができる。また、商品外観３ａ，３ｂを印刷した紙にラミネート加工を施したものを使用することもできる。熱可塑性樹脂あるいはプラスチックを使用する場合には、シート表面に滑り加工を施して、商品底面と表示シート表面との間に生じる摩擦力を低減させ、商品３０を滑り易くすることが好ましい。表示シート１の材質として耐熱性材料を用いると、冷蔵商品（コールド商品）および温蔵商品（ホット商品）のいずれに対しても使用可能な表示シート１とすることができ、取り替える手間を省くことができる。耐熱性材料は、ホット商品を陳列するショーケース２０の一般的な庫内温度（例えば、約６５℃）において変質しないものであればよく、例えば、ポリカーボネートを挙げることができる。
【００２３】
表示シート１の厚みは、０．１〜０．５ｍｍの範囲とすることが好ましい。表示シート１の厚みが小さいと、連結部５，６を直立させても仕切り板としての役割を十分に果たさない可能性がある。表示シート１の厚みが大きいと、商品載置面と商品との熱伝導が悪くなったり、商品３０の移動の妨げになる可能性がある。表示シート１のさらに好ましい厚みの範囲は、０．２〜０．３ｍｍである。
【００２４】
この表示シート１は、２枚以上連結して用いることができる。連結させる場合には、２枚の表示シート１（１Ａ，１Ｂ）を用意し、一方の表示シート１Ａのスリット７に、他方の表示シート１Ｂの第１の連結部５を挿入することにより、取り外し可能に連結することができる。表示シート１Ａの第２の連結部６と、表示シート１Ｂの第１の連結部５とは、重ね合わせた状態で識別表示部２に対して直立させることが好ましい。このように連結した表示シート１Ａ，１Ｂは、前述したのと同様にしてオープンショーケース２０の棚板２１上に敷き並べることができる。
【００２５】
図２，３では、棚板の中側に表示シートを配置する場合について説明したが、棚板の端側に表示シートを配置することも可能である。例えば、棚板２１の右端に配置する場合には、第２の連結部６をオープンショーケース２０の図示しない側板（前板２２に直交するショーケース側壁）に沿わせて配置することができる。あるいは、折り曲げ部１４を山折りにして、棚板２１と側板との隙間に第２の連結部６を挿し込むようにしてもよい。また、第２の連結部６を切り取って使用してもよい。同様に、例えば、表示シート１を棚板２１の左端に配置する場合には、第１の連結部５をオープンショーケース２０の側板に沿わせて配置することができる。あるいは、折り曲げ部１３を山折りにして、棚板２１と側板との隙間に第１の連結部５を挿し込むようにしてもよい。また、第１の連結部５を切り取って使用してもよい。
【００２６】
２連型の表示シート１は、境界線２ｌ，４ｌを切れ目に沿って分断することにより、それぞれ１連型の表示シートとして使用することもできる。
【００２７】
ここで、分断して用いる必要が無い場合には、境界線２ｌ，４ｌに切れ目を形成しなくてもよい。切れ目を形成しない場合には、境界線２ｌ，４ｌを直線で明示したり、あるいは、境界線２ｌ，４ｌに沿って凸加工もしくは凹加工を施してラインを明示することにより、それぞれ表示エリア２ａ，２ｂ上に商品を整列させ易くすることができる。
【００２８】
図１〜３では、固定部４ａ，４ｂおよび連結部５，６が識別表示部２に一体形成されたものを例示したが、固定部４ａ，４ｂおよび／または連結部５，６は一体形成されていなくてもよい。
【００２９】
図１〜３では、２連型の表示シートについて説明したが、表示シートはこれに限定されるものではなく、１連型や３連型、あるいは４連以上の型式にすることもできる。１連型の表示シート１０は、表示エリア２ａ（２ｂ）の一方の長辺に第１の連結部５を形成し、表示エリア２ａ（２ｂ）の他方の長辺に第２の連結部６を形成すること以外には、図１に示した２連型の表示シート１と同様な構造にすることができる。この１連型の表示シート１０は、２連型の表示シート１と同様にして使用することができる。図２では、２連型の表示シート１Ａに連結した１連型の表示シート１０を例示している。
【００３０】
次に、３連型の表示シートの平面図を図４に示す。
【００３１】
図４に示す３連型の表示シート４０は、表示エリア２ａ，２ｂの間に、もう一つの表示エリア２ｃが一体形成されていること以外には、図１の表示シート１と同様な構造を有する。表示エリア２ａ，２ｃの境界線２Ｌ上、および、表示エリア２ｂ，２ｃの境界線２Ｒ上には、それぞれ破線状に微小な切れ目が形成されており、分断可能になっている。表示エリア２ｃには、表示エリア２ａ，２ｂと同様に商品外観３ｃが表示されている。また、表示エリア２ｃには、固定部４ａ，４ｂと同様の固定部４ｃが一体に、かつ折り曲げ可能に形成されている。隣り合う固定部４ａ〜４ｃは、一体形成されている。固定部４ａ，４ｃの境界線４Ｌ上、および、固定部４ｂ，４ｃの境界線４Ｒ上には、それぞれ破線状に微小な切れ目が形成されており、分断可能になっている。
【００３２】
３連型の表示シート４０の使用方法を、図５を参照して説明する。
【００３３】
図５では、２枚の３連型の表示シート４０（４０Ａ，４０Ｂ）を、２連型の表示シート１（１Ａ，１Ｂ）と同様に連結して用いた例を示している。表示シート４０Ａ，４０Ｂには、それぞれ異なる商品３０Ａ，３０Ｂが載置される。表示シート４０Ａに表示された商品外観３ａ〜３ｂは商品３０Ａを示し、表示シート４０Ｂに表示された商品外観３ａ〜３ｃは商品３０Ｂを示している。オープンショーケース２０に敷き並べる方法は、図１〜３を用いて説明したのと同様にすることができる。
【００３４】
３連型の表示シート４０の使用方法は図５に示すものに限られるものではなく、３連型の表示シート４０を単独で使用することもできる。また、境界線２Ｌ，４Ｌあるいは境界線２Ｒ，４Ｒを切れ目に沿って分断することにより、それぞれ１連型の表示シートと２連型の表示シートとして使用することもできる。この他にも、１連型、２連型、３連型および４連以上の型式の表示シートを種々に組み合せ、連結させて使用することもできる。
【００３５】
表示シートを敷き並べたオープンショーケースを図６に示す。
【００３６】
図６に示したオープンショーケース６０は、４段の棚板を有する陳列棚であり、例えば、棚の最上段６１および最下段６４には、１２列（１２フェイス）で、１列につき３個の商品（ペットボトル飲料）３０を陳列することができる。このオープンショーケース６０には、複数枚の表示シートが、図１〜５を用いて説明したのと同様に連結して敷き並べられている。最上段６１と最下段６４にはそれぞれ、２種類の３連型の表示シート４０を２枚ずつ、計４枚を連結したものが敷き並べられ、その上に異なる２種類の商品３０が載置されている。商品３０が載置されていない箇所（最上段６１の右から５列目〜８列目および最下段６４の右から５列目〜８列目）では、３連型の表示シート４０Ａ，４０Ｂの商品外観３ａ〜３ｃがそれぞれオープンショーケース６０の外側から容易に確認可能となっている。これら３連型の表示シート４０Ａ，４０Ｂにはそれぞれ、図示しない別の３連型の表示シートが連結されている。このオープンショーケース６０の上から２段目６２と３段目６３には、複数枚の２連型の表示シートと３連型の表示シートとが連結されたものが敷き並べられており、その上に商品が載置されている。
【００３７】
表示シートを載置することができるオープンショーケースのサイズや形状、あるいは陳列可能な商品数は図６に示すものに限定されるものではない。
【００３８】
なお、この考案は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３９】
［実施例］
商品管理を店舗従業員に委託している巡回店舗において、図７に示すような棚割り表（比較例）をオープンショーケース側面に貼り付けることにより商品管理を依頼した。この棚割り表では、商品Ａ５列（５フェイス）、商品Ｂ５列（５フェイス）、商品Ｃ３列（３フェイス）の配置とした。
【００４０】
所定期間経過後、定期巡回したところ、商品Ａが６列、商品Ｃが６列配置されており、商品Ｂは欠品になっており、店舗従業員は欠品に気付いていなかった。
【００４１】
この店舗において、図１に示した表示シート（実施例）を、図１〜５を用いて説明したように設置し、これに従って商品を陳列した。表示シートは、比較例と同様に商品Ａ５列、商品Ｂ５列、商品Ｃ３列の配置とした。
【００４２】
所定期間経過後、定期巡回したところ、商品Ａは５列、商品Ｂは５列、商品Ｃは３列それぞれ配置されており、商品管理が長期間にわたって徹底されていることを確認できた。これは、表示シートに印刷された商品写真（商品外観）から商品種類を容易に識別することができたため、補充忘れや配置間違いを防ぐことができたためと考えられる。
【図面の簡単な説明】
【００４３】
【図１】２連型のオープンショーケース用表示シートを示す平面図。
【図２】２連型のオープンショーケース用表示シートの使用方法（商品配置前）を説明するための斜視図。
【図３】２連型のオープンショーケース用表示シートの使用方法（商品配置後）を説明するための斜視図。
【図４】３連型のオープンショーケース用表示シートを示す平面図。
【図５】３連型のオープンショーケース用表示シートの使用方法を説明するための斜視図。
【図６】オープンショーケースを示す斜視図。
【図７】従来の棚割り表を示す図。
【符号の説明】
【００４４】
１，１Ａ，１Ｂ…２連型の表示シート、２…識別表示部、２ａ，２ｂ，２ｃ…表示エリア、２ｌ，２Ｌ，２Ｒ，４ｌ，４Ｌ，４Ｒ…境界線、３ａ，３ｂ，３ｃ…商品外観、４ａ，４ｂ，４ｃ…固定部、１１，１２，１３，１４…折り曲げ部、５，６…連結部、７…スリット、１０…１連型の表示シート、２０，６０…オープンショーケース、２１…棚板、２２…前板、２３…落下防止バー、２４…プライスカード、３０，３０Ａ，３０Ｂ…商品、４０，４０Ａ，４０Ｂ…３連型の表示シート、６１…最上段、６２…２段目、６３…３段目、６４…最下段、７１…棚割り表、７２…商品棚外観図、７３…配置表。
【図１】
0003111781.tif 000003
【図２】
0003111781.tif 000004
【図３】
0003111781.tif 000005
【図４】
0003111781.tif 000006
【図５】
0003111781.tif 000007
【図６】
0003111781.tif 000008
【図７】
0003111781.tif 000009